(57)【要約】【課題】  前方左音声信号ＦＬ及び前方右音声信号ＦＲが入力され、ＦＬ、ＦＲ及び低域音声信号ＳＷを再生することができ、かつ、ＦＬ及びＦＲの音質を向上させる音声処理装置を提供すること。【解決手段】  前方左音声信号ＦＬは、ＦＬ信号ラインからＳＢＬ信号ラインを介して、ミックスアンプ９に供給される。前方右音声信号ＦＲは、ＦＲ信号ラインからＳＢＲ信号ラインを介して、ミックスアンプ９に供給される。ミックスアンプ９は、ＦＬおよびＦＲを合成して、低域音声信号ＳＷを生成する。ミックスアンプ９は、ＦＬ信号ライン及びＦＲ信号ラインに直接接続される必要がないので、ＦＬ信号ラインに流れるＦＬ及びＦＲ信号ラインに流れるＦＲにノイズが混入することを防止できる。【選択図】図２
2010258970.tif 000002
【特許請求の範囲】
【請求項１】
第１チャンネル音声信号および第２チャンネル音声信号が入力される入力手段と、
第１チャンネル音声信号および第２チャンネル音声信号を合成して第３チャンネル音声信号を生成する合成手段と、
前記合成手段によって生成された第３チャンネル音声信号を第３チャンネルスピーカーに出力する出力手段と、
第１チャンネル音声信号を、第１チャンネル音声信号ラインから、使用されていない第４チャンネル音声信号ラインを経由して、前記合成手段に供給させ、前記第２チャンネル音声信号を、第２チャンネル音声信号ラインから、使用されていない第５チャンネル音声信号ラインを経由して、前記合成手段に供給させる切換手段とを備える、音声処理装置。
【請求項２】
第１チャンネル音声信号および第２チャンネル音声信号が入力される入力手段と、
第１チャンネル音声信号および第２チャンネル音声信号を、デジタル信号処理部において第３チャンネル音声信号の生成処理を実行せずに、第１チャンネルスピーカーおよび第２チャンネルスピーカーにそれぞれ出力するダイレクトモードを、オン状態又はオフ状態に設定するモード設定手段と、
ダイレクトモードがオン状態の時に、第１チャンネル音声信号および第２チャンネル音声信号を合成して第３チャンネル音声信号を生成する合成手段と、
前記合成手段によって生成された第３チャンネル音声信号を第３チャンネルスピーカーに出力する出力手段と、
第１チャンネル音声信号を、第１チャンネル音声信号ラインから、ダイレクトモードがオン状態の時に使用されない第４チャンネル音声信号ラインを経由して、前記合成手段に供給させ、前記第２チャンネル音声信号を、第２チャンネル音声信号ラインから、ダイレクトモードがオン状態の時に使用されない第５チャンネル音声信号ラインを経由して、前記合成手段に供給させる切換手段とを備える、音声処理装置。
【請求項３】
前記合成手段が、第１チャンネル音声信号および第２チャンネル音声信号を加算し、かつ、反転増幅することにより、第３チャンネル音声信号を生成する反転増幅回路を有し、
前記出力手段が、前記反転増幅回路からの第３チャンネル音声信号を反転増幅して出力する増幅回路を有する、請求項１または２に記載の音声処理装置。
【請求項４】
前記増幅回路が、ダイレクトモードがオフ状態の時には、前記合成手段からの信号ラインとは異なる第３チャンネル音声信号ラインから供給される第３チャンネル音声信号を非反転増幅して出力するものであり、
ダイレクトモードがオフ状態の時に前記第３チャンネル音声信号ラインからの第３チャンネル音声信号を非反転増幅する際の前記増幅回路の第１増幅率と、ダイレクトモードがオン状態の時に前記合成手段からの第３チャンネル音声信号を反転増幅する際の前記増幅回路の第２増幅率とを切り換える増幅率切換手段をさらに備える、請求項３に記載の音声処理装置。
【請求項５】
前記増幅率切換手段が、ダイレクトモードがオフ状態の時に、前記合成手段からの音声信号が前記増幅回路に供給されないように、前記合成手段からの音声信号にミュート処理を実行する、請求項４に記載の音声処理装置。
【請求項６】
前記増幅回路が、前記第３チャンネル音声信号ラインから第３チャンネル音声信号が供給される非反転入力端子と、前記合成手段から第３チャンネル音声信号が供給される反転入力端子とを含むオペアンプと、前記反転入力端子と接地電位との間に接続された第１抵抗と、前記反転入力端子と前記オペアンプの出力端子との間に接続された第２抵抗とを含み、
前記増幅率切換手段が、前記反転入力端子と前記合成手段の出力との間に設けられた第３抵抗および第４抵抗と、一端が前記第３抵抗と前記第４抵抗との間に接続され他端が接地電位に接続されたトランジスタとを含み、
ダイレクトモードがオフ状態の時には前記トランジスタがオン状態とされ、ダイレクトモードがオン状態の時には前記トランジスタがオフ状態とされる、請求項４または５に記載の音声処理装置。
【請求項７】
前記第１増幅率が、前記第２増幅率の２倍になるように、前記第１〜第４抵抗の抵抗値が設定されている、請求項６に記載の音声処理装置。
【請求項８】
前記切換手段が、前記第１チャンネル音声信号ラインおよび前記第４チャン音声信号ラインのいずれを、前記合成手段が接続された前記第４チャンネル音声信号ラインに接続するかを切り換える第１スイッチ部と、
前記第２チャンネル音声信号ラインおよび前記第５チャン音声信号ラインのいずれを、前記合成手段が接続された前記第５チャンネル音声信号ラインに接続するかを切り換える第２スイッチ部とを有する、請求項１〜７のいずれかに記載の音声処理装置。
【発明の詳細な説明】
【技術分野】
【０００１】
本発明は、第１チャンネル音声信号および第２チャンネル音声信号が入力される音声処理装置に関する。
【背景技術】
【０００２】
ＡＶアンプは、ＤＶＤプレーヤ等から複数チャンネルの音声信号が入力され、これらの音声信号に所定の音声処理を実行し、接続される複数のスピーカーに音声信号を出力するものである。例えば、ＡＶアンプに８つのスピーカー（例えば、前方左スピーカー、前方右スピーカー、中央スピーカー、低域スピーカー、サラウンド左スピーカー、サラウンド右スピーカー、サラウンド後方左スピーカー、サラウンド後方右スピーカー）が接続されている場合に、ＡＶアンプに２ｃｈの音声信号（前方左音声信号および前方右音声信号）が入力されると、ＡＶアンプは前方左音声信号および前方右音声信号から、ＤＳＰにおいて、これら８つのスピーカーに出力するための７．１ｃｈ分の音声信号を生成する。その結果、ＡＶアンプに２ｃｈの音声信号が入力された場合でも、８つのスピーカーから音声を再生することができる。
【０００３】
ＡＶアンプにはダイレクトモードと呼ばれるモードが設けられている。ダイレクトモードは、２ｃｈの音声信号が入力された場合に、上記のＤＳＰによる７．１ｃｈ分の音声信号を生成する処理を実行せずに、そのまま２ｃｈの音声信号を増幅して前方左スピーカーおよび前方右スピーカーのみに出力するモードである。ダイレクトモードでは、中央スピーカー、低域スピーカー、サラウンド左スピーカー、サラウンド右スピーカー、サラウンド後方左スピーカーおよびサラウンド後方右スピーカーから音声を再生できないが、前方左スピーカーおよび前方右スピーカーから再生される音声の音質を向上することができる。
【０００４】
ここで、ユーザがＡＶアンプに例えば低域スピーカーを接続し、低域スピーカーからの音声の再生を所望する場合に、誤ってダイレクトモードがオン状態に設定されてしまうと、上記の理由により、低域スピーカーから音声が再生されないために、ユーザに違和感を与えるという問題が生じる。また、中央スピーカー、サラウンド左スピーカー、サラウンド右スピーカー、サラウンド後方左スピーカーおよびサラウンド後方右スピーカーについても同様である。
【０００５】
特に、ＡＶアンプには低域スピーカー内蔵のＡＶアンプという製品が存在する。このような製品は低域スピーカーが内蔵されているため、ユーザは低域スピーカーから音声が再生されると理解しているが、上記のようにダイレクトモードがオン状態に設定されると、低域スピーカーから音声が再生されず、上記の問題は特に顕著になる。また、最近では、左スピーカー、右スピーカー、中央スピーカー、低域スピーカー及びＡＶアンプ内蔵のＴＶラックが販売されている。このような製品においても、ダイレクトモードがオン状態に設定されると、中央スピーカー及び低域スピーカーから音声が再生されないという問題がある。
【０００６】
下記特許文献１には、前方左音声信号および前方右音声信号を合成して他のチャンネルの音声信号を生成する技術が記載されている。しかし、この技術では、合成手段は、前方左音声信号ラインおよび前方右音声信号ラインに直接的に接続されるので、前方左音声信号および前方右音声信号に合成手段のノイズが含まれてしまうという問題がある。
【先行技術文献】
【特許文献】
【０００７】
【特許文献１】特開２００１−３０９４９９号公報
【発明の概要】
【発明が解決しようとする課題】
【０００８】
本発明は上記従来の課題を解決するためになされたものであり、その目的は、第１チャンネル音声信号および第２チャンネル音声信号が入力され、第１チャンネル音声信号、第２チャンネル音声信号および第３チャンネル音声信号を再生することができ、かつ、第１チャンネル音声信号および第２チャンネル音声信号の音質を向上させる音声処理装置を提供することである。
【課題を解決するための手段】
【０００９】
本発明の好ましい実施形態による音声処理装置は、第１チャンネル音声信号および第２チャンネル音声信号が入力される入力手段と、第１チャンネル音声信号および第２チャンネル音声信号を合成して第３チャンネル音声信号を生成する合成手段と、前記合成手段によって生成された第３チャンネル音声信号を第３チャンネルスピーカーに出力する出力手段と、第１チャンネル音声信号を、第１チャンネル音声信号ラインから、使用されていない第４チャンネル音声信号ラインを経由して、前記合成手段に供給させ、前記第２チャンネル音声信号を、第２チャンネル音声信号ラインから、使用されていない第５チャンネル音声信号ラインを経由して、前記合成手段に供給させる切換手段とを備える。
【００１０】
第１チャンネル音声信号は、第１チャンネル音声信号ラインから第４チャンネル音声信号ラインを介して、合成手段に供給される。従って、合成手段は、第１チャンネル音声信号ラインに直接接続される必要がないので、第１チャンネル音声信号ラインに流れる第１チャンネル音声信号に合成手段のノイズが含まれることを防止できる。第２チャンネル音声信号は、第２チャンネル音声信号ラインから第５チャンネル音声信号ラインを介して、合成手段に供給される。従って、合成手段は、第２チャンネル音声信号ラインに直接接続される必要がないので、第２チャンネル音声信号ラインに流れる第２チャンネル音声信号に合成手段のノイズが含まれることを防止できる。その結果、第１チャンネル音声信号および第２チャンネル音声信号に合成手段のノイズが含まれることなく、第１チャンネル音声信号および第２チャンネル音声信号を合成して第３チャンネル音声信号を生成し、出力することができる。
【００１１】
本発明の好ましい実施形態による音声処理装置は、第１チャンネル音声信号および第２チャンネル音声信号が入力される入力手段と、第１チャンネル音声信号および第２チャンネル音声信号を、デジタル信号処理部において第３チャンネル音声信号の生成処理を実行せずに、第１チャンネルスピーカーおよび第２チャンネルスピーカーにそれぞれ出力するダイレクトモードを、オン状態又はオフ状態に設定するモード設定手段と、ダイレクトモードがオン状態の時に、第１チャンネル音声信号および第２チャンネル音声信号を合成して第３チャンネル音声信号を生成する合成手段と、前記合成手段によって生成された第３チャンネル音声信号を第３チャンネルスピーカーに出力する出力手段と、第１チャンネル音声信号を、第１チャンネル音声信号ラインから、ダイレクトモードがオン状態の時に使用されない第４チャンネル音声信号ラインを経由して、前記合成手段に供給させ、前記第２チャンネル音声信号を、第２チャンネル音声信号ラインから、ダイレクトモードがオン状態の時に使用されない第５チャンネル音声信号ラインを経由して、前記合成手段に供給させる切換手段とを備える。
【００１２】
第１チャンネル音声信号は、第１チャンネル音声信号ラインから第４チャンネル音声信号ラインを介して、合成手段に供給される。従って、合成手段は、第１チャンネル音声信号ラインに直接接続される必要がないので、第１チャンネル音声信号ラインに流れる第１チャンネル音声信号に合成手段のノイズが含まれることを防止できる。第２チャンネル音声信号は、第２チャンネル音声信号ラインから第５チャンネル音声信号ラインを介して、合成手段に供給される。従って、合成手段は、第２チャンネル音声信号ラインに直接接続される必要がないので、第２チャンネル音声信号ラインに流れる第２チャンネル音声信号に合成手段のノイズが含まれることを防止できる。その結果、第１チャンネル音声信号および第２チャンネル音声信号に合成手段のノイズが含まれることなく、第１チャンネル音声信号および第２チャンネル音声信号を合成して第３チャンネル音声信号を生成し、出力することができる。
【００１３】
なお、第４チャンネル音声信号ラインおよび第５チャンネル音声信号ラインはダイレクトモードがオン状態の時には使用されないので、第４チャンネル音声信号ラインに流れるべき第４チャンネル音声信号および第５チャンネル音声信号ラインに流れるべき第５チャンネル音声信号に影響を与えることがない。また、第１チャンネル音声信号ラインおよび第２チャンネル音声信号ラインから合成手段に第１チャンネル音声信号および第２チャンネル音声信号を供給する際に経由するための他の信号ラインを別途設ける必要もない。
【００１４】
好ましい実施形態においては、前記合成手段が、第１チャンネル音声信号および第２チャンネル音声信号を加算し、かつ、反転増幅することにより、第３チャンネル音声信号を生成する反転増幅回路を有し、前記出力手段が、前記反転増幅回路からの第３チャンネル音声信号を反転増幅して出力する増幅回路を有する。
【００１５】
反転増幅回路によって第１チャンネル音声信号および第２チャンネル音声信号を合成するので、第１チャンネル音声信号ラインおよび第２チャンネル音声信号ラインから見て反転増幅回路の入力端子が接地電位と見なすことができる。従って、第１チャンネル音声信号ラインおよび第２チャンネル音声信号ラインを、反転増幅回路から分断することができるので、第１チャンネル音声信号ラインに流れる第１チャンネル音声信号および第２チャンネル音声信号ラインに流れる第２チャンネル音声信号に合成手段のノイズが含まれることをさらに良好に防止できる。同時に、第１チャンネル音声信号と第２チャンネル音声信号とが混ざることを防止できる。また、反転増幅回路から出力される第３チャンネル音声信号は後段の増幅回路でさらに反転増幅されるので、出力される第３チャンネル音声信号と、入力される第１チャンネル音声信号および第２音声信号との極性を一致させることができる。
【００１６】
好ましい実施形態においては、前記増幅回路が、ダイレクトモードがオフ状態の時には、前記合成手段からの信号ラインとは異なる第３チャンネル音声信号ラインから供給される第３チャンネル音声信号を非反転増幅して出力するものであり、ダイレクトモードがオフ状態の時に前記第３チャンネル音声信号ラインからの第３チャンネル音声信号を非反転増幅する際の前記増幅回路の第１増幅率と、ダイレクトモードがオン状態の時に前記合成手段からの第３チャンネル音声信号を反転増幅する際の前記増幅回路の第２増幅率とを切り換える増幅率切換手段をさらに備える。
【００１７】
増幅回路が、ダイレクトモードがオフ状態の時に第３チャンネル音声信号ラインからの第３チャンネル音声信号を増幅する非反転増幅回路を兼用しているので、別途、ダイレクトモードがオフ状態の時に第３チャンネル音声信号ラインからの第３チャンネル音声信号を増幅する増幅回路を設ける必要がない。さらに、増幅回路の増幅率が増幅率切換手段によって切り換えられるので、ダイレクトモードがオフ状態の時に第３チャンネル音声信号ラインからの第３チャンネル音声信号を増幅する際も、ダイレクトモードがオン状態の時に合成手段からの第３チャンネル音声信号を反転増幅する際も、適切な増幅率で増幅することができる。
【００１８】
好ましい実施形態においては、前記増幅率切換手段が、ダイレクトモードがオフ状態の時に、前記合成手段からの音声信号が前記増幅回路に供給されないように、前記合成手段からの音声信号にミュート処理を実行する。
【００１９】
ダイレクトモードがオフ状態の時に合成手段からの音声信号が増幅回路に供給されることを防止する。また、増幅率切換手段がミュート処理の機能を有するで、回路構成を簡易化できる。
【００２０】
好ましい実施形態においては、前記増幅回路が、前記第３チャンネル音声信号ラインから第３チャンネル音声信号が供給される非反転入力端子と、前記合成手段から第３チャンネル音声信号が供給される反転入力端子とを含むオペアンプと、前記反転入力端子と接地電位との間に接続された第１抵抗と、前記反転入力端子と前記オペアンプの出力端子との間に接続された第２抵抗とを含み、前記増幅率切換手段が、前記反転入力端子と前記合成手段の出力との間に設けられた第３抵抗および第４抵抗と、一端が前記第３抵抗と前記第４抵抗との間に接続され他端が接地電位に接続されたトランジスタとを含み、ダイレクトモードがオフ状態の時には前記トランジスタがオン状態とされ、ダイレクトモードがオン状態の時には前記トランジスタがオフ状態とされる。
【００２１】
ダイレクトモードがオフ状態にときにトランジスタがオン状態にされるので、合成手段からの音声信号は接地電位に流れ込み、ミュート状態になると共に、増幅回路の増幅率が、第３チャンネル音声信号ラインからの第３チャンネル音声信号を非反転増幅する際の増幅率に設定される。ダイレクトモードがオン状態のときにトランジスタがオフ状態にされるので、ミュート状態が解除され、合成手段からの第３チャンネル音声信号が増幅回路の反転入力端子に入力され、増幅回路の増幅率が、合成手段からの第３チャンネル音声信号を反転増幅する際の増幅率に設定される。
【００２２】
好ましい実施形態においては、前記第１増幅率が、前記第２増幅率の２倍になるように、前記第１〜第４抵抗の抵抗値が設定されている。
【００２３】
合成手段によって第１チャンネル音声信号および第２チャンネル音声信号が加算されて第３チャンネル音声信号が生成されるので、合成手段からの第３チャンネル音声信号は、第３チャンネル音声信号ラインからの第３チャンネル音声信号に対して信号レベルが２倍になっている。従って、第１増幅率を第２増幅率の２倍に設定しておくことにより、ダイレクトモードのオンオフ状態に関係なく、出力される第３チャンネル音声信号の信号レベルを同じにすることができる。
【００２４】
好ましい実施形態においては、前記切換手段が、前記第１チャンネル音声信号ラインおよび前記第４チャン音声信号ラインのいずれを、前記合成手段が接続された前記第４チャンネル音声信号ラインに接続するかを切り換える第１スイッチ部と、前記第２チャンネル音声信号ラインおよび前記第５チャンネル音声信号ラインのいずれを、前記合成手段が接続された前記第５チャンネル音声信号ラインに接続するかを切り換える第２スイッチ部とを有する。
【００２５】
ダイレクトモードがオン状態のときには、第１スイッチ部は、第１チャンネル音声信号ラインを第４チャンネル音声信号ラインに接続し、第１チャンネル音声信号を合成手段に供給し、第２スイッチ部は、第２チャンネル音声信号ラインを第５チャンネル音声信号ラインに接続し、第２チャンネル音声信号を合成手段に供給する。一方、ダイレクトモードがオフ状態のときには、第１スイッチ部は、第４チャンネル音声信号ライン（入力側）を第４チャンネル音声信号ライン（出力側）に接続し、第２スイッチ部は、第５チャンネル音声信号ライン（入力側）を第５チャンネル音声信号ライン（出力側）に接続する。従って、第１チャンネル音声信号ラインおよび第２チャンネル音声信号ラインは合成手段と切り離されるので、第１チャンネル音声信号および第２チャンネル音声信号に合成手段のノイズが含まれることを防止できる。
【発明の効果】
【００２６】
第１チャンネル音声信号および第２チャンネル音声信号が入力され、第１チャンネル音声信号、第２チャンネル音声信号および第３チャンネル音声信号を再生することができ、かつ、第１チャンネル音声信号および第２チャンネル音声信号の音質を向上させることができる。
【図面の簡単な説明】
【００２７】
【図１】ＡＶアンプ１００と、各チャンネルのスピーカーとの接続及び配置を説明する図である。
【図２】ＡＶアンプ１００の構成を示すブロック図である。
【図３】ＡＶアンプ１００の要部の構成を示す回路図である。
【図４】ダイレクトモード設定画面を示す図である。
【図５】ダイレクトモードにおける低域音声信号ＳＷの再生有無設定画面を示す図である。
【発明を実施するための形態】
【００２８】
以下、本発明の好ましい実施形態によるＡＶアンプ１００について、図面を参照して具体的に説明するが、本発明はこれらの実施形態には限定されない。
【００２９】
図１は、本実施形態における、ＡＶアンプ１００、ディスプレイ装置２００、及び、各スピーカーの配置の一例を説明する図である（ＤＶＤプレーヤは省略している）。ＡＶアンプ１００は、低域スピーカーＳＳＷが内蔵されており、ディスプレイ装置２００、前方左スピーカーＳＦＬ、前方右スピーカーＳＦＲ、中央スピーカーＳＣ、サラウンド左スピーカーＳＳＬ、サラウンド右スピーカーＳＳＲ、サラウンド後方左スピーカーＳＳＢＬおよびサラウンド後方右スピーカーＳＳＢＲが接続されている。なお、低域スピーカーＳＳＷはＡＶアンプ１００に内蔵されるのではなく、ＡＶアンプ１００に外部接続されてもよい。
【００３０】
ＡＶアンプ１００には、例えばＤＶＤプレーヤから供給される２ｃｈのアナログ（又はデジタル、以下同様。）音声信号（前方左音声信号ＦＬおよび前方右音声信号ＦＲ）が入力される。後述するダイレクトモードがオン状態に設定されている場合、前方左音声信号ＦＬおよび前方右音声信号ＦＲに基づいて、前方左スピーカーＳＦＬおよび前方右スピーカーＳＦＲからそれぞれ音声を再生する。また、ダイレクトモードがオン状態に設定されている場合、前方左音声信号ＦＬおよび前方右音声信号ＦＲを合成手段において合成し、低域音声信号ＳＷを生成し、低域スピーカーＳＳＷから音声を再生する。一方、ダイレクトモードがオフ状態に設定されている場合、ＤＳＰにおいて、前方左音声信号ＦＬおよび前方右音声信号ＦＲから各チャンネル分の音声信号が生成され、前方左スピーカーＳＦＬ、前方右スピーカーＳＦＲ、中央スピーカーＳＣ、低域スピーカーＳＳＷ、サラウンド左スピーカーＳＳＬ、サラウンド右スピーカーＳＳＲ、サラウンド後方左スピーカーＳＳＢＬおよびサラウンド後方右スピーカーＳＳＢＲから音声を再生する。
【００３１】
図２は、ＡＶアンプ１００の構成を示す概略ブロック図である。なお、図２では、説明を簡単化するために、中央スピーカーＳＣ、サラウンド左スピーカーＳＳＬ、および、サラウンド右スピーカーＳＳＲに対応する部分（信号ラインやアンプ部等）は省略している。
【００３２】
ＡＶアンプ１００は、スイッチ部２，３と、アナログ−デジタル変換部（以下、ＡＤＣという。）４と、デジタル信号処理部であるＤＳＰ５と、デジタル−アナログ変換部（以下、ＤＡＣという。）６と、切換手段であるスイッチ部７，８と、合成手段であるミックスアンプ９と、ミュート処理部１０と、ゲイン切換部１１と、出力手段であるフィルターアンプ１２と、ＣＰＵ１３と、ミュート駆動部１４と、低域アンプ（以下、ＳＷアンプという。）１５と、サラウンド後方左アンプ（以下、ＳＢＬアンプという。）１６と、サラウンド後方右アンプ（以下、ＳＢＲアンプという。）１７と、前方左アンプ（以下、ＦＬアンプという。）１８と、前方右アンプ（以下、ＦＲアンプという。）１９とを備える。
【００３３】
スイッチ部２は、例えばＤＶＤプレーヤ等から前方左音声信号ＦＬが入力され、前方左音声信号ＦＬをＦＬアンプ１８に出力するか、又は、ＡＤＣ４に出力するかをＣＰＵ１３からの指示に応じて切り換える。つまり、スイッチ部２の端子２ｃは前方左音声信号ライン（以下、ＦＬ信号ラインという。）に接続され、端子２ａはＡＤＣ４に接続され、端子２ｂはＦＬアンプ１８（ＦＬ信号ラインの出力側）に接続されている。
【００３４】
スイッチ部３は、例えばＤＶＤプレーヤ等から前方右音声信号ＦＲが入力され、前方右音声信号をＦＲアンプ１９に出力するか、又は、ＡＤＣ４に出力するかをＣＰＵ１３からの指示に応じて切り換える。つまり、スイッチ部３の端子３ｃは前方右音声信号ライン（以下、ＦＲ信号ラインという。）に接続され、端子３ａはＡＤＣ４に接続され、端子３ｂはＦＲアンプ１９（ＦＲ信号ラインの出力側）に接続されている。
【００３５】
ＦＬアンプ１８は、スイッチ部２又はＤＡＣ６から供給される前方左音声信号ＦＬを増幅し、外部に接続される前方左スピーカーＳＦＬに出力する。ＦＲアンプ１９は、スイッチ部３又はＤＡＣ６から供給される前方右音声信号ＦＲを増幅し、外部に接続される前方右スピーカーＳＦＲに出力する。
【００３６】
スイッチ部７は、ＤＡＣ６からのサラウンド後方左音声信号ＳＢＬと、例えばＤＶＤプレーヤ等からの前方左音声信号ＦＬとが入力され、サラウンド後方左音声信号ＳＢＬ、又は、前方左音声信号ＦＬのどちらを、サラウンド後方左音声信号ライン（以下、ＳＢＬ信号ラインという。）、すなわちミックアンプ９およびＳＢＬアンプ１６に出力するかをＣＰＵ１３からの指示に応じて切り換える。つまり、スイッチ部７の端子７ａはＳＢＬ信号ラインの入力側に接続され、端子７ｂはＦＬ信号ラインに接続され、端子７ｃはＳＢＬ信号ラインの出力側（すなわち、ミックアンプ９およびＳＢＬアンプ１６）に接続されている。
【００３７】
スイッチ部８は、ＤＡＣ６からのサラウンド後方右音声信号ＳＢＲと、例えばＤＶＤプレーヤ等からの前方右音声信号ＦＲとが入力され、サラウンド後方右音声信号ＳＢＲ、又は、前方右音声信号ＦＲのどちらを、サラウンド後方右音声信号ライン（以下、ＳＢＲ信号ラインという。）、すなわちミックアンプ９およびＳＢＲアンプ１７に出力するかをＣＰＵ１３からの指示に応じて切り換える。つまり、スイッチ部８の端子８ａはＳＢＲ信号ラインの入力側に接続され、端子８ｂはＦＲ信号ラインに接続され、端子８ｃはＳＢＲ信号ラインの出力側（すなわち、ミックアンプ９およびＳＢＲアンプ１７）に接続されている。
【００３８】
好ましくは、スイッチ部７とミックスアンプ９との間にはバッファアンプ２０が設けられ、スイッチ部８とミックスアンプ９との間にはバッファアンプ２１が設けられている。
【００３９】
ＳＢＬアンプ１６は、ＤＡＣ６からスイッチ部７を介して供給されるサラウンド後方左音声信号ＳＢＬを増幅し、外部に接続されるサラウンド後方左スピーカーＳＳＢＬに出力する。なお、スイッチ部７が端子７ｂを選択している場合には、ＳＢＬアンプ１６はミュート状態とされ、前方左音声信号ＦＬが再生されることが防止される。ＳＢＲアンプ１７は、ＤＡＣ６からスイッチ部８を介して供給されるサラウンド後方右音声信号ＳＢＲを増幅し、外部に接続されるサラウンド後方右スピーカーＳＳＢＲに出力する。なお、スイッチ部８が端子８ｂを選択している場合には、ＳＢＲアンプ１７はミュート状態とされ、前方右音声信号ＦＲが再生されることが防止される。
【００４０】
ＡＤＣ４は、ＦＬ信号ラインからスイッチ部２を介して供給される前方左音声信号ＦＬ、および、ＦＲ信号ラインからスイッチ部３を介して供給される前方右音声信号ＦＲをデジタル信号に変換し、ＤＳＰ５に供給する。
【００４１】
ＤＳＰ５は、ＡＤＣ４から供給されるデジタルの前方左音声信号ＦＬおよび前方右音声信号ＦＲに基づいて、前方左音声信号ＦＬ、前方右音声信号ＦＲ、中央音声信号Ｃ、低域音声信号ＳＷ、サラウンド左音声信号ＳＬ、サラウンド右音声信号ＳＲ、サラウンド後方左音声信号ＳＢＬおよびサラウンド後方右音声信号ＳＢＲを含む７．１ｃｈのデジタル音声信号を生成し、ＤＡＣ６に供給する。
【００４２】
ＤＡＣ６は、ＤＳＰ５から供給された７．１ｃｈのデジタル音声信号を、デジタル−アナログ変換する。ＤＡＣ６からの低域音声信号ＳＷはフィルターアンプ１２に供給され、前方左音声信号ＦＬはＦＬアンプ１８に供給され、前方右音声信号ＦＲはＦＲアンプ１９に供給され、サラウンド後方左音声信号ＳＢＬはスイッチ部７（ＳＢＬ信号ラインの入力側）に供給され、サラウンド後方右音声信号ＳＢＲはスイッチ部８（ＳＢＲ信号ラインの入力側）に供給される。
【００４３】
ミックスアンプ９は、スイッチ部７が端子７ｂを選択し、かつ、スイッチ部８が端子８ｂを選択しているとき、ＦＬ信号ラインからＳＢＬ信号ラインを経由して供給される前方左音声信号ＦＬ、および、ＦＲ信号ラインからＳＢＲ信号ラインを経由して供給される前方右音声信号ＦＲを合成し、低域音声信号ＳＷを生成し、ミュート処理部１０に供給する。なお、ミックスアンプ９は、スイッチ部７が端子７ａを選択し、かつ、スイッチ部８が端子８ａを選択しているとき、ＳＢＬ信号ラインから供給されるサラウンド後方左音声信号ＳＢＬおよびＳＢＲ信号ラインから供給されるサラウンド後方右音声信号ＳＢＲを合成し、その合成信号をミュート処理部１０に供給する。
【００４４】
ミュート処理部１０は、ミュート駆動部１４によってミュート状態とミュート解除状態とが切り換えられる。スイッチ部７が端子７ｂを選択し、かつ、スイッチ部８が端子８ｂを選択しているとき、ミュート処理部１０は、ミュート解除状態とされ、ミックスアンプ９から供給される低域音声信号ＳＷをフィルターアンプ１２に供給する。一方、スイッチ部７が端子７ａを選択し、かつ、スイッチ部８が端子８ａを選択しているとき、ミュート処理部１０は、ミュート状態とされ、ミックスアンプ９から供給される合成信号を、接地電位へと流し込み、フィルターアンプ１２には供給しないようにする。
【００４５】
ゲイン切換部１１は、ミュート駆動部１４によって制御され、フィルターアンプ１２のゲインを、フィルターアンプ１２がＤＡＣ６、すなわち、低域音声信号ライン（以下、ＳＷ信号ラインという。）からの低域音声信号を増幅する際のゲイン（増幅率）と、フィルターアンプ１２がミックアンプ９からの低域音声信号を増幅する際のゲインとのいずれかに切り換える。
【００４６】
ミュート駆動部１４は、ＣＰＵ１３からの制御信号に基づいて、ミュート処理部１０をミュート状態またはミュート解除状態のどちらかに切り換える。また、ミュート駆動部１４は、ＣＰＵ１３からの制御信号に基づいて、ゲイン切換部１１にフィルターアンプ１２のゲインを切り換えさせる。
【００４７】
フィルターアンプ１２は、ＤＡＣ６又はミックスアンプ９から供給される低域音声信号ＳＷから高周波数成分を除去し、かつ、ゲイン切換部１１の状態によって決定される所定のゲインに基づいて低域音声信号ＳＷを増幅し、ＳＷアンプ１５に供給する。ＳＷアンプ１５は、フィルターアンプ１２から供給される低域音声信号ＳＷを増幅し、低域スピーカーＳＳＷに出力する。
【００４８】
図３は、ＡＶアンプ１００の要部（ミックスアンプ９、ミュート処理部１０、ゲイン切換部１１、フィルターアンプ１２およびミュート駆動部１４）を示す回路図である。太線で示した信号ラインは接地電位を示している。
【００４９】
ミックスアンプ９は、オペアンプＱ１と、抵抗Ｒ１〜Ｒ３とを含む反転増幅回路（加算アンプ）である。オペアンプＱ１の反転入力端子は抵抗Ｒ１を介してＳＢＬ信号ラインに接続され、抵抗Ｒ２を介してＳＢＲ信号ラインに接続され、かつ、抵抗Ｒ３を介してオペアンプＱ１の出力端子に接続されている。オペアンプＱ１の非反転入力端子は、接地電位に接続されている。抵抗Ｒ１〜Ｒ３は同じ抵抗値に設定されているので、ミックスアンプ９のゲインは−１となり、非反転入力端子に入力される前方左信号ＦＬおよび前方右音声信号ＦＷを加算することによって得られる低域音声信号ＳＷを反転させて、出力する。
【００５０】
ミックアンプ９を反転増幅回路によって構成することにより、ＦＬ信号ラインおよびＦＲ信号ラインから見てオペアンプＱ１の反転入力端子は接地電位と見なすことができる。その結果、図２のスイッチ部７および８を介して、ＦＬ信号ラインおよびＦＲ信号ラインが間接的にオペアンプＱ１に接続されるが、ＦＬ信号ラインおよびＦＲ信号ラインをオペアンプＱ１から分離させることができる。従って、ミックスアンプ９以後の回路に伝送される信号の影響により、ＦＬ信号ラインおよびＦＲ信号ラインを流れる前方左音声信号ＦＬおよび前方右音声信号ＦＲにノイズ等が発生することを抑制することができる。
【００５１】
ミュート処理部１０およびゲイン切換部１１は、トランジスタＱ２，Ｑ３と、抵抗Ｒ４〜Ｒ６とを含む。つまり、トランジスタＱ２，Ｑ３の２段階でミュート処理およびゲイン切換処理が実行される。しかし、これに限定されず、１つのトランジスタによってミュート処理およびゲイン切換処理が実行されてもよい。この場合、例えば、抵抗Ｒ４とトランジスタＱ２を省略することができる。トランジスタＱ２は、コレクタが抵抗Ｒ４の一端と抵抗Ｒ５の一端とに接続され、エミッタが接地電位に接続され、ベースがミュート駆動部１４の出力に接続されている。トランジスタＱ３は、コレクタが抵抗Ｒ５の他端と抵抗Ｒ６の一端とに接続され、エミッタが接地電位と抵抗Ｒ９の一端とに接続され、ベースがミュート駆動部１４の出力に接続されている。抵抗Ｒ４の他端は、オペアンプＱ１の出力端子と抵抗Ｒ３とに接続されている。
【００５２】
トランジスタＱ２，Ｑ３は、ミュート駆動部１４からハイレベルの信号が供給されると、オン状態になり、ミュート状態になるので、ミックアンプＱ１からの合成信号を接地電位に流し込み、フィルターアンプ１２に出力しない。一方、トランジスタＱ２，Ｑ３は、ミュート駆動部１４からローレベルの信号が供給されると、オフ状態になり、ミュート解除状態になるので、ミックアンプＱ１からの低域音声信号ＳＷをフィルターアンプ１２に出力する。
【００５３】
トランジスタＱ２のエミッタは、フィルターアンプ１２が直接接続されている接地電位ライン（例えば、抵抗Ｒ９と接地電位との接続点）に接続せずに、各チャンネルのアンプ（ＳＷアンプ，ＳＢＬアンプ１６，ＳＢＲアンプ等）が接続されている接地電位ラインに接続されている。これにより、ミックアンプ９からの合成信号がトランジスタＱ２を介して接地電位に流れ込む際に、接地電位ラインを介してフィルターアンプ１２に流れ込むことを防止し、音質を向上させることができる。
【００５４】
フィルターアンプ１２は、オペアンプＱ４と、抵抗Ｒ７〜Ｒ１０と、コンデンサＣ１〜Ｃ３とを含む。オペアンプＱ４は、反転入力端子が、抵抗Ｒ６の他端と抵抗Ｒ９の他端と抵抗Ｒ１０の一端とコンデンサＣ３の一端とに接続されており、非反転入力端子が、抵抗Ｒ７の一端と抵抗Ｒ８の一端とコンデンサＣ２の一端とに接続されており、出力端子が、抵抗Ｒ１０の他端とコンデンサＣ３の他端とＳＷアンプ１５の入力とに接続されている。抵抗Ｒ７の他端とコンデンサＣ２の他端とは接地電位に接続されている。抵抗Ｒ８の他端は、コンデンサＣ１を介してＤＡＣ６の出力（すなわちＳＷ信号ライン）に接続されている。
【００５５】
ＤＡＣ６（ＳＷ信号ライン）からオペアンプＱ４の非反転入力端子に低域音声信号ＳＷが入力される場合（この時にはトランジスタＱ２，Ｑ３がオン状態であるので、ミックアンプＱ１からオペアンプＱ４の反転入力端子には音声信号が入力されない）、フィルターアンプ１２は非反転増幅回路として機能し、オペアンプＱ４の非反転入力端子に入力される低域音声信号ＳＷを非反転増幅して、ＳＷアンプ１５に出力する。
【００５６】
一方、トランジスタＱ２，Ｑ３がオフ状態であり、ミックアンプ９からオペアンプＱ４の反転入力端子に低域音声信号ＳＷが入力される場合（この時にはＤＡＣ６（ＳＷ音声信号ライン）からオペアンプＱ４の非反転入力端子に低域音声信号ＳＷが入力されない）、フィルターアンプ１２は反転増幅回路として機能し、オペアンプＱ４の反転入力端子に入力される低域音声信号ＳＷを反転増幅し、ＳＷアンプ１５に出力する。従って、反転増幅回路であるミックスアンプ９によって低域音声信号ＳＷの極性が一旦反転されるが、フィルターアンプ１２も反転増幅回路として働くので、フィルターアンプ１２から出力される低域音声信号ＳＷの極性がミックスアンプ９に入力される前の前方左音声信号ＦＬおよび前方右音声信号ＦＲ（すなわちＤＡＣ６からの低域音声信号ＳＷ）の極性と等しくすることができる。
【００５７】
フィルターアンプ１２のゲインは、ゲイン切換部１１によって設定される。トランジスタＱ２，Ｑ３がオン状態の時には、フィルターアンプ１２の非反転増幅回路としてのゲインＧ１は、１＋（Ｒ１０／（Ｒ６／／Ｒ９）、但し、Ｒ６／／Ｒ９は、Ｒ６×Ｒ９／（Ｒ６＋Ｒ９）になる。一方、トランジスタＱ２，Ｑ３がオフ状態の時には、フィルターアンプ１２の反転増幅回路としてのゲインＧ２は、−Ｒ１０／（Ｒ４＋Ｒ５＋Ｒ６）になる。ここで、ミックスアンプ９から供給される低域音声信号ＳＷは、前方左音声信号ＦＬおよび前方右音声信号ＦＲを加算して反転したものであるので、その信号レベルが前方左音声信号ＦＬおよび前方右音声信号ＦＲ（ＤＡＣ６からの地域音声信号ＳＷ）の信号レベルの２倍になっている。従って、ゲインＧ１とゲインＧ２との関係が、Ｇ１＝２Ｇ２となるように、抵抗Ｒ４〜Ｒ６，Ｒ９，Ｒ１０の値が設定されている。
【００５８】
ミュート駆動部１４は、トランジスタＱ５，Ｑ６と、抵抗Ｒ１１〜Ｒ１４と、コンデンサＣ４とを含む。トランジスタＱ５は、ベースが抵抗Ｒ１１の一端に接続され、コレクタがトランジスタＱ６のベースに接続され、エミッタが接地電位に接続されている。トランジスタＱ６は、エミッタが抵抗Ｒ１２の一端と＋１２Ｖ電源とに接続され、コレクタが抵抗Ｒ１３の一端に接続されている。抵抗Ｒ１１の他端は、抵抗Ｒ１２の他端に接続され、かつ、ＣＰＵ１３から制御信号が入力される。抵抗Ｒ１３の他端は、ミュート駆動部１４の出力端子であり、コンデンサＣ４を介して接地電位に接続され、抵抗Ｒ１４を介して−１２Ｖ電源に接続されている。
【００５９】
ＣＰＵ１３からの制御信号がローレベルのとき、トランジスタＱ５がオフ状態、トランジスタＱ６がオフ状態であり、トランジスタＱ２，Ｑ３のベースにローレベルの信号が出力され、トランジスタＱ２，Ｑ３がオフ状態になる。ＣＰＵ１３からの制御信号がハイレベルのとき、トランジスタＱ５がオン状態、トランジスタＱ６がオン状態であり、トランジスタＱ２，Ｑ３のベースにハイレベルの信号が出力され、トランジスタＱ２，Ｑ３がオン状態になる。
【００６０】
ＡＶアンプ１００にはダイレクトモードと呼ばれるモードが設けられている。ダイレクトモードは、２ｃｈ音声信号（前方左音声信号ＦＬおよび前方右音声信号ＦＲ）が入力された場合に、ＤＳＰ５によって２ｃｈ音声信号から７．１ｃｈ音声信号を生成し７．１ｃｈの音声を再生するのではなく、２ｃｈ音声信号をＤＳＰ５で処理せずに、前方左スピーカーＳＦＬおよび前方右スピーカーＳＦＲに直接出力するモードである。ダイレクトモードでは、中央スピーカーＳＣ、低域スピーカーＳＳＷ、サラウンド左スピーカーＳＳＬ、サラウンド右スピーカーＳＳＲ、サラウンド後方左スピーカーＳＳＢＬおよびサラウンド後方右スピーカーＳＳＢＲから音声が再生できないが、ＤＳＰ５で処理しないことにより、前方左スピーカーＳＦＬおよび前方右スピーカーＳＦＲから再生される音声の音質を向上できる（音質向上とは、例えばノイズや歪みを低減することである）。
【００６１】
ダイレクトモードをオン状態にするか、又は、オフ状態にするかは、ユーザ操作によって設定され、その設定内容がメモリに保存される。ダイレクトモードを設定する場合、例えば図４に示すようなダイレクトモード設定画面が表示部に表示され、ユーザ操作によってオン状態またはオフ状態に設定可能になっている。図４（ａ）はダイレクトモードがオン状態に設定された場合を、図４（ｂ）はダイレクトモードがオフ状態に設定された場合を示している。
【００６２】
ＡＶアンプ１００は低域スピーカーＳＳＷを内蔵しているので、ダイレクトモードに設定されているために低域音声信号ＳＷが低域スピーカーＳＳＷから再生されないとユーザに違和感を与える。そこで、本実施形態においては、ダイレクトモードが設定されている場合に、ミックスアンプ９において前方左音声信号ＦＬおよび前方右音声信号ＦＲを合成し、低域音声信号ＳＷを生成し、低域スピーカーＳＳＷから再生する。
【００６３】
ミックスアンプ９に供給される前方左音声信号ＦＬは、ＦＬ信号ラインから直接ミックスアンプ９に供給されるのではなく、ダイレクトモード時には使用しない（つまり再生されないチャンネルの）信号ラインであるＳＢＬ信号ラインを経由してミックスアンプ９に供給される。言い換えると、ミックスアンプ９は、ＦＬ信号ラインに直接的には接続されず、ＳＢＬ信号ラインに接続されている。従って、ＦＬ信号ラインを流れる前方左音声信号ＦＬと、ミックアンプ９で生成される低域音声信号ＳＷとが相互に干渉することが無く、前方左音声信号ＦＬにノイズが混入することを防止できる。また、ダイレクトモードオフ時には、スイッチ部７が端子７ａを選択することにより、ＦＬ信号ラインはミックスアンプ９から完全に切り離され、前方左音声信号ＦＬにノイズが混入することをさらに良好に防止できる。さらに、スイッチ部７と、ミックスアンプ９との間にバッファアンプ２０を設けることにより、ミックスアンプ９とＦＬ信号ラインとを分断することができ、前方左音声信号ＦＬにノイズが混入することをさらに良好に防止できる。
【００６４】
同様に、ミックスアンプ９に供給される前方右音声信号ＦＲは、ＦＲ信号ラインから直接ミックアンプ９に供給されるのではなく、ダイレクトモード時には使用しない（つまり再生されないチャンネルの）信号ラインであるＳＢＲ信号ラインを経由してミックスアンプ９に供給される。言い換えると、ミックスアンプ９は、ＦＲ信号ラインに直接的に接続されず、ＳＢＲ信号ラインに接続されている。従って、ＦＲ信号ラインを流れる前方右音声信号ＦＲと、ミックアンプ９で生成される低域音声信号ＳＷとが相互に干渉することが無く、前方右音声信号ＦＲにノイズが混入することを防止できる。また、ダイレクトモードオフ時には、スイッチ部８が端子８ａを選択することにより、ＦＲ信号ラインはミックスアンプ９から完全に切り離され、前方右音声信号ＦＲにノイズが混入することをさらに良好に防止できる。さらに、スイッチ部８と、ミックスアンプ９との間にバッファアンプ２１を設けることにより、ミックスアンプ９とＦＲ信号ラインとを分断することができ、前方左音声信号ＦＲにノイズが混入することをさらに良好に防止できる。
【００６５】
好ましくは、ダイレクトモードがオン状態の時に低域音声信号ＳＷを低域スピーカーＳＳＷから再生するか否かが、ユーザ操作によって設定され、その設定内容がメモリに保存される。ダイレクトモードにおける低域音声信号ＳＷの出力有無を設定する場合、例えば図５に示すような設定画面が表示部に表示され、ユーザ操作によってオン状態またはオフ状態に設定可能になっている。図５（ａ）はダイレクトモードにおいて低域音声信号ＳＷを出力する状態に設定された場合を、図５（ｂ）はダイレクトモードにおいて低域音声信号ＳＷを出力しない状態に設定された場合を示している。
【００６６】
なお、ダイレクトモードにおいて低域音声信号ＳＷを低域スピーカーＳＳＷから再生するか否かがユーザ操作によって設定される代わりに、入力される音声信号の種類に基づいてＣＰＵ１３がダイレクトモードにおいて低域音声信号ＳＷを低域スピーカーＳＳＷから再生するか否かを決定してもよい。例えば、ドルビーデジタルやＤＴＳサラウンド等はその規格において低域音声信号ＳＷを再生するように規定されている。従って、これらの信号が入力されたときには、ダイレクトモードにおいて低域音声信号ＳＷを低域スピーカーＳＳＷから再生するように決定され、これらの信号以外が入力されたときには、ダイレクトモードにおいて低域音声信号ＳＷを低域スピーカーＳＳＷから再生されないように決定されてもよい。
【００６７】
以上の構成を有するＡＶアンプ１００についてその動作を図２および図３を参照して説明する。
［１．ダイレクトモードがオン状態（低域音声信号ＳＷを出力する場合）］
スイッチ部２は端子２ｂを選択し、スイッチ部３は端子３ｂを選択する。従って、前方左音声信号ＦＬはＤＳＰ５を経由せずにＦＬアンプ１８に供給され、ＦＬアンプ１８で増幅され、前方左スピーカーＳＦＬに出力される。同様に、前方右音声信号ＦＲはＤＳＰ５を経由せずにＦＲアンプ１９に供給され、ＦＲアンプ１９で増幅され、前方右スピーカーＳＦＲに出力される。
【００６８】
スイッチ部７は端子７ｂを選択し、スイッチ部８は端子８ｂを選択する。従って、前方左音声信号ＦＬはスイッチ部７及びＳＢＬ信号ラインを経由してミックスアンプ９（オペアンプＱ１の反転入力端子）に供給される。前方右音声信号ＦＲは、スイッチ部８及びＳＢＲ信号ラインを経由してミックスアンプ９（オペアンプＱ１の反転入力端子）に供給される。ミックスアンプ９では、前方左音声信号ＦＬおよび前方右音声信号ＦＲを加算し、反転増幅し、低域音声信号ＳＷとして出力する。
【００６９】
ＳＢＬアンプ１６およびＳＢＲアンプ１７は、ミュート状態に制御されているので、サラウンド後方左スピーカーＳＳＢＬおよびサラウンド後方右スピーカーＳＳＢＲから前方左音声信号ＦＬおよび前方右音声信号ＦＲがそれぞれ再生されることはない。
【００７０】
ＣＰＵ１３は、ローレベルの制御信号をミュート駆動部１４のトランジスタＱ５に出力する。従って、トランジスタＱ５がオフ状態、トランジスタＱ６がオフ状態になり、ローレベルの信号がミュート処理部１０およびゲイン切換部１１に供給される。ミュート処理部１０およびゲイン切換部１１において、トランジスタＱ２，Ｑ３がオフ状態になり、ミュート解除状態になる。その結果、ミックスアンプ９からの低域音声信号ＳＷは、ミュート処理されずにフィルターアンプ１２（オペアンプＱ４の反転入力端子）に供給される。
【００７１】
ＡＤＣ４にはスイッチ部２およびスイッチ部３から前方左音声信号ＦＬおよび前方右音声信号ＦＲが供給されていないので、ＤＡＣ６からは低域音声信号ＳＷが出力されない。従って、フィルターアンプ１２（オペアンプＱ４の非反転入力端子）にはＤＡＣ６からの低域音声信号ＳＷは供給されない。
【００７２】
フィルターアンプ１２は、ミックアンプ９からオペアンプＱ４の反転入力端子に供給される低域音声信号ＳＷを反転増幅し、ＳＷアンプ１５に出力する。ＳＷアンプ１５は、フィルターアンプ１２から供給される低域音声信号ＳＷを増幅し、低域スピーカーＳＳＷから音声を再生する。
【００７３】
従って、ダイレクトモードにおいて、ＤＳＰ５が低域音声信号ＳＷを生成しないが、ミックスアンプ９が前方左音声信号ＦＬおよび前方右音声信号ＦＲを合成して低域音声信号ＳＷを生成するので、低域スピーカーＳＳＷから音声を再生できる。
【００７４】
［２．ダイレクトモードがオン状態（低域音声信号ＳＷを出力しない場合）］
ここでは、［１］との差異点のみを説明する。ＣＰＵ１３は、ハイレベルの制御信号をミュート駆動部１４のトランジスタＱ５に出力する。従って、トランジスタＱ５がオン状態、トランジスタＱ６がオン状態になり、ハイレベルの信号がミュート処理部１０およびゲイン切換部１１に供給される。ミュート処理部１０およびゲイン切換部１１において、トランジスタＱ２，Ｑ３がオン状態になり、ミュート状態になる。その結果、ミックスアンプ９からの低域音声信号ＳＷは、ミュート処理され、フィルターアンプ１２（オペアンプＱ４の反転入力端子）に供給されない。その結果、低域スピーカーＳＳＷから低域音声信号ＳＷが再生されない。
【００７５】
［３．ダイレクトモードがオフ状態］
スイッチ部２は端子２ａを選択し、スイッチ部３は端子３ａを選択する。従って、前方左音声信号ＦＬおよび前方右音声信号ＦＲはＡＤＣ４に供給される。ＡＤＣ４は、前方左音声信号ＦＬおよび前方右音声信号ＦＲをアナログ信号からデジタル信号に変換し、ＤＳＰ５に供給する。ＤＳＰ５は、前方左音声信号ＦＬおよび前方右音声信号ＦＲに基づいて、前方左音声信号ＦＬ、前方右音声信号ＦＲ、中央音声信号Ｃ、低域音声信号ＳＷ、サラウンド左音声信号ＳＬ、サラウンド右音声信号ＳＲ、サラウンド後方左音声信号ＳＢＬおよびサラウンド後方右音声信号を生成する。前方左音声信号ＦＬはＦＬアンプ１８に供給され、前方右音声信号ＦＲはＦＲアンプ１９に供給され、低域音声信号ＳＷはフィルターアンプ１２に供給され、サラウンド後方左音声信号ＳＢＬはスイッチ部７に供給され、サラウンド後方右音声信号ＳＢＲはスイッチ部８に供給される。
【００７６】
ＦＬアンプ１８は、前方左音声信号ＦＬを増幅し、前方左スピーカーＳＦＬから音声を再生する。ＦＬアンプ１９は、前方右音声信号ＦＲを増幅し、前方右スピーカーＳＦＲから音声を再生する。
【００７７】
スイッチ部７は端子７ａを選択し、スイッチ部８は端子８ａを選択する。従って、サラウンド後方左音声信号ＳＢＬはスイッチ部７を介してミックスアンプ９（オペアンプＱ１の反転入力端子）に供給される。サラウンド後方右音声信号ＳＢＲは、スイッチ部８を介してミックスアンプ９（オペアンプＱ１の反転入力端子）に供給される。ミックスアンプ９では、サラウンド後方左音声信号ＳＢＬおよびサラウンド後方右音声信号ＳＢＲを加算し、反転増幅し、合成信号を出力する。
【００７８】
ＣＰＵ１３はハイレベルの制御信号をミュート駆動部１４のトランジスタＱ５に出力する。従って、トランジスタＱ５がオン状態、トランジスタＱ６がオン状態になり、ハイレベルの信号がミュート処理部１０およびゲイン切換部１１に供給される。ミュート処理部１０およびゲイン切換部１１において、トランジスタＱ２，Ｑ３がオン状態になり、ミュート状態になる。その結果、ミックスアンプ９からの合成信号は、ミュート処理され、フィルターアンプ１２（オペアンプＱ４の反転入力端子）に供給されない。
【００７９】
フィルターアンプ１２では、ＤＡＣ６からオペアンプＱ４の非反転入力端子に供給される低域音声信号ＳＷを非反転増幅し、ＳＷアンプ１５に供給する。ＳＷアンプ１５は、低域音声信号ＳＷを増幅し、低域スピーカーＳＳＷから音声を再生する。
【００８０】
ＳＢＬアンプ１６は、スイッチ部７からサラウンド後方左音声信号ＳＢＬが供給され、当該信号を増幅し、サラウンド後方左スピーカーＳＳＢＬから音声を再生する。ＳＢＲアンプ１７は、スイッチ部８からサラウンド後方右音声信号ＳＢＲが供給され、当該信号を増幅し、サラウンド後方右スピーカーＳＳＢＲから音声を再生する。
【００８１】
以上、本発明の好ましい実施形態を説明したが、本発明はこれらの実施形態には限定されない。入力される音声信号は、ＤＶＤプレーヤからの音声信号に限定されず、その他のソース機器からの音声信号やＴＶ信号に含まれる音声信号でもよい。また、本発明は、ＡＶアンプだけではなく、ディスプレイ装置やゲーム機などにも適用可能である。ミックスアンプ９は、前方左音声信号ＦＬおよび前方右音声信号ＦＲから低域音声信号ＳＷを生成するのではなく、前方左音声信号ＦＬおよび前方右音声信号ＦＲから中央音声信号Ｃ等の他のチャンネルの音声信号を生成してもよい。また、前方左音声信号ＦＬおよび前方右音声信号ＦＲから低域音声信号ＳＷを生成するのではなく、サラウンド左音声信号ＳＬおよびサラウンド右音声信号ＳＲ等の他のチャンネルの音声信号から低域音声信号ＳＷを生成してもよい。また、前方左音声信号ＦＬおよび前方右音声信号ＦＲが、ＳＢＬ信号ラインおよびＳＢＲ信号ラインを経由してミックスアンプ９に供給されるのではなく、ＳＬ信号ラインおよびＳＲ信号ライン等の他の信号ラインを経由してミックスアンプ９に供給されてもよい。
【産業上の利用可能性】
【００８２】
本発明は、ＡＶアンプ等に好適に採用され得る。
【符号の説明】
【００８３】
１００          ＡＶアンプ
２              スイッチ部
３              スイッチ部
４              ＡＤＣ
５              ＤＳＰ
６              ＤＡＣ
７              スイッチ部
８              スイッチ部
９              ミックスアンプ
１０            ミュート処理部
１１            ゲイン切換部
１２            フィルターアンプ
１３            ＣＰＵ
１４            ミュート駆動部
１５            ＳＷアンプ
１６            ＳＢＬアンプ
１７            ＳＢＲアンプ
１８            ＦＬアンプ
１９            ＦＲアンプ
【図１】
2010258970.tif 000003
【図２】
2010258970.tif 000004
【図３】
2010258970.tif 000005
【図４】
2010258970.tif 000006
【図５】
2010258970.tif 000007